(57)【特許請求の範囲】
【請求項１】
モータ本体の出力軸に設けたウォームと、ウォームと噛合う減速ギヤと、減速ギヤの内部に設けたダンパーと、減速ギヤと同軸状に設けられるとともにその一部を切り起こすことにより成形した突片を前記ダンパーに係合させ且つ外部出力軸に連結したハブを備えた減速機構付モータにおいて、前記ダンパーと前記ハブの間に、前記突片の切り起こしにより形成された該ハブの開口部を塞ぐカバーを設けるとともに、前記ダンパーに切込み部を形成し、前記カバーに該ダンパーの切込み部に係合する凸部を一体的に形成し、且つ、この凸部には前記ハブの突片を嵌挿させるための溝部が設けてあることを特徴とする減速機構付モータ。
【発明の詳細な説明】
【０００１】
【発明の属する技術分野】
本発明は、例えば、車両用パワーウインドモータとして利用される減速機構付モータに関するものである。
【０００２】
【従来の技術】
従来の減速機構付モータとしては、図５および図６に示すようなものがあった。
【０００３】
図５に示す減速機構付モータ５１は、モータ本体５２と、モータ本体５２にボルト５５を用いて連結したギヤケース５３と、減速機構５４から構成されている。
【０００４】
減速機構５４は、モータ本体５２の出力軸５２ａに設けたウォーム５６と、ウォーム５６に噛合っている減速ギヤ５７と、減速ギヤ５７に組付けた３つのダンパー５８と、減速ギヤ５７と同軸状に設けられるとともに各ダンパー５８に係合するハブ５９から構成されている。
【０００５】
減速ギヤ５７は、図６に示すように、中心に形成した挿通孔５７ｂと外周の歯との間の部分を円周方向に１２０゜間隔で３つに仕切って、ハブ５９側に開放された扇形状の仕切空間部５７ａを設けており、挿通孔５７ｂには、図５に示す外部出力軸６０が回転自在に挿通する。
【０００６】
ダンパー５８は、減速ギア５７の仕切空間部５７ａに対応する扇形状をなすと共に、外周側円弧部分の側面の中央に切込み部５８ａが形成してある。
【０００７】
ハブ５９は、円形の薄板材から成るものであって、ダンパー５８側に切り起こして成形した３つの突片５９ａを円周方向に等間隔で設けており、軸心部分には、図５に示す外部出力軸６０の端部と非回転状態に連結するための軸孔５９ｂが設けてあり、各突片５９ａをダンパー５８の切込み部５８ａに係合させる。
【０００８】
これらの構成を備えた減速機構付モータ５１は、モータ本体５２を駆動すると、モータ本体５２の出力軸５２ａに設けたウォーム５６を介して減速ギヤ５７が回転し、減速ギヤ５７の回転がダンパー５８を介してハブ５９に伝達され、ハブ５９に連結した外部出力軸６０が回転し、外部出力軸６０に連結した図示しない被駆動体を駆動することとなる。
【０００９】
また、被駆動体側における何らかの障害によって、外部出力軸６０が拘束されると、外部出力軸６０に連結しているハブ５９が同時に停止する一方で減速ギヤ５７が回転し続けようとすることとなり、それに伴って発生する衝撃力を、ハブ５９と減速ギヤ５７の間に設けたダンパー５８を減速ギヤ５７の回転方向に圧縮することによって吸収する。
【００１０】
【発明が解決しようとする課題】
ところが、上記したような従来の減速機構付モータ５１にあっては、ダンパー５８の切込み部５８ａに係合するハブ５９の突片５９ａを切り起こすことにより成形しており、この切り起こしによってハブ５９に開口部５９ｃができているので、ダンパー５８が衝撃吸収時に圧縮された際に、開口部５９ｃからダンパー５８の一部がはみ出し、これにより衝撃吸収能力が低下する恐れがあると共に、開口部５９ｃの周縁によってダンパー５８が摩耗し、ダンパー５８の耐久性が低下する恐れがあるという問題があり、これらの問題点を解決することが従来の課題であった。
【００１１】
【発明の目的】
本発明は、上記した従来の課題に鑑みてなされたもので、減速ギヤの回転をダンパーおよびハブを介して外部に伝達する減速機構付モータにおいて、ハブにおける突片の切り起こしによって形成された開口部からダンパーの一部のはみ出しを防ぐことができると共に、ダンパーの摩耗を防止して耐久性を向上させることができる減速機構付モータを提供することを目的としている。
【００１２】
【課題を解決するための手段】
本発明の請求項１に係わる減速機構付モータは、モータ本体の出力軸に設けたウォームと、ウォームと噛合う減速ギヤと、減速ギヤの内部に設けたダンパーと、減速ギヤと同軸状に設けられるとともにその一部を切り起こすことにより成形した突片をダンパーに係合させ且つ外部出力軸に連結したハブを備えた減速機構付モータにおいて、ダンパーとハブの間に、突片の切り起こしにより形成されたハブの開口部を塞ぐカバーを設けるとともに、ダンパーに切込み部を形成し、カバーに該ダンパーの切込み部に係合する凸部を一体的に形成し、且つ、この凸部にはハブの突片を嵌挿させるための溝部が設けた構成としたことを特徴としており、このような減速機構付モータの構成を前述した従来の課題を解決するための手段としている。
【００１３】
【発明の作用】
本発明に係わる減速機構付モータでは、モータ本体の駆動力が、出力軸、ウォーム、減速ギヤ、ダンパ、ハブおよび外部出力軸の順で伝達されており、外部出力軸が拘束されると、ハブが停止し、これに伴う衝撃をハブと減速ギヤとの間でダンパーを圧縮することによって吸収する。この時、当該減速機構付モータでは、ハブとダンパーの間に、突片の切り起こしにより形成されたハブの開口部を塞ぐカバーを設けているので、開口部からダンパーの一部がはみ出すことが防止され、また、開口部の周縁によってダンパーが削れるような事態も防止される。
【００１４】
【実施例】
以下、本発明を図面に基づいて説明する。
【００１５】
図１ないし図３は本発明に係わる減速機構付モータの一実施例を示したものである。
【００１６】
図１および図２に示す減速機構付モータ１は、モータ本体２と、モータ本体２の出力軸２ａ側にボルト５を用いて連結したギヤケース３と、減速機構４から構成されている。
【００１７】
減速機構４は、モータ本体２の出力軸２ａに設けたウォーム６と、ウォーム６に噛合っている減速ギヤ７と、減速ギヤ７に組込んだ３つのダンパー８と、減速ギヤ７と同軸状に設けられ且つ各ダンパー８に係合するハブ９から構成されており、ダンパー８とハブ９の間には、ハブ９と同軸状に設けられ且つ低摩擦材よりなるカバー１０が設けてある。また、ハブ９には外部出力軸１１が連結してある。
【００１８】
減速ギヤ７は、図３に示すように、中心に形成した挿通孔７ｂと外周の歯との間の部分を円周方向に１２０゜間隔で３つに仕切って、ハブ９側に開放された扇形状の仕切空間部７ａ，７ａ，７ａを設けており、挿通孔７ｂには、図１および図２に示す外部出力軸１１が回転自在に挿通される。
【００１９】
ダンパー８は、仕切空間部７ａに対応した扇形状をなすと共に、外周円弧部分の中央に切込み部８ａが形成してある。
【００２０】
ハブ９は、円形の薄板材から成るものであって、ダンパー８側に切り起こして成形した３つの突片９ａを円周方向に等間隔で設けていると共に中心には、外部出力軸１１の端部と非回転状態に連結するための軸孔９ｂが設けてあり、各突片９ａをダンパー８の切込み部８ａに係合させる。
【００２１】
カバー１０は、金属または樹脂の円形の薄板状部材から形成され、好ましくは、カバー１０のダンパー８と当接する面がハブ９のダンパー８と対向する面より滑らかな面に形成され、より好ましくは、低摩擦材の円形の薄板状部材から形成される。また、低摩擦材としては、例えばポリ四フッ化エチレン（商品名；テフロン）を材料とすることが考えられる。
【００２２】
また、カバー１０は、ハブ９の各突片９ａがそれぞれ嵌挿するための溝部１０ａを設けている。また、カバー１０の中心には、外部出力軸１１を回転自在に挿通させる挿通孔１０ｂが設けてある。上記カバー１０は、組付け状態において、突片９ａの切り起こしによってハブ９に形成された開口部９ｃを閉塞する。
【００２３】
図４は、本発明に係わる減速機構付モータの他の実施例における減速ギヤ７、ダンパー８、カバー２０およびハブ９を示しており、カバー２０以外は先の実施例における減速機構付モータ１と同じである。
【００２４】
このカバー２０は、各ダンパー８の切込み部８ａにそれぞれ係合する３つの凸部２０ｂを円周方向に等間隔でかつダンパー８側の面に一体的に設けている。また、各凸部２０ｂには、ハブ９の各突片９ａをそれぞれ嵌挿させるための溝部２０ａが設けてある。さらに、カバー２０の中心には、外部出力軸を回転自在に挿通させる挿通孔２０ｃが設けてある。このカバー２０は、組付け状態において、突片９ａの切り起こしによってハブ９に形成された開口部９ｃを閉塞する。
【００２５】
このような構成を備えた減速機構付モータ１は、モータ本体２の駆動によってウォーム６を介して減速ギヤ７が回転し、減速ギヤ７の回転によってダンパー８を介してカバー１０または２０およびハブ９が回転し、ハブ９に連結した外部出力軸１１を駆動することとなる。
【００２６】
また、外部出力軸１１に連結した被駆動体側の何らかの障害によって外部出力軸１１が拘束されると、外部出力軸１１に連結しているハブ９が同時に停止する一方で、減速ギヤ７が回転し続けようとすることとなり、それに伴って発生する衝撃力を、ハブ９に係合しているカバー１０または２０と減速ギヤ７の間に設けたダンパー８を減速ギヤ７の回転方向に圧縮することにより吸収し、ハブ９およびカバー１０に対して減速ギヤ７がある程度回転した状態で停止する。
【００２７】
このとき、減速機構付モータ１では、ハブ９とダンパー８との間に、突片９ａの切り起こしによって形成されたハブ９の開口部９ｃを塞ぐカバー１０または２０を設けているので、開口部９ｃからダンパー８の一部がはみ出すようなことが全くなく、ダンパー８の圧縮による衝撃吸収機能が維持され、また、開口部９ｃの周縁によってダンパー８が削られるような事態も防止されることとなる。更に、カバー２０を採用した場合は、該カバー２０に一体的に形成した各凸部２０ｂがダンパー８の各切込み部８ａにそれぞれ係合するとともに、この各凸部２０ｂに設けた溝部２０ａにハブ９の各突片９ａが嵌挿されるので、ハブ９の各突片９ａが直接ダンパー８の各切込み部８ａに係合することがない。このため、ダンパー８の耐久性を著しく向上させることができる。
【００２８】
【発明の効果】
以上説明したように、本発明に係わる減速機構付モータによれば、減速ギヤの回転をダンパーおよびハブを介して外部に伝達する減速機構付モータにおいて、ハブとダンパーの間に、ハブの突片の成形によってできた開口部を塞ぐカバーを設けたことにより、外部出力軸の拘束による衝撃を吸収するためにダンパーが圧縮された際に、開口部からダンパーの一部がはみ出すことがなく、衝撃吸収機能を良好に維持することができ、また、開口部の周縁によってダンパーが削られることがない。そして、カバーにハブの突片が嵌挿する溝部を有する凸部を一体的に設けると共に、この凸部をダンパーの切込み部に係合させることにより、ハブの突片がダンパーに対して不具合を生じさせることなくダンパーの耐久性を著しく向上させることができるという極めて優れた効果が得られることとなる。
【図面の簡単な説明】
【図１】本発明に係わる減速機構付モータの一実施例を示す部分破断状態の説明図である。
【図２】図１のＡ−Ａ線位置での拡大断面説明図である。
【図３】本発明に係わる減速機構付モータの一実施例における減速ギヤ、ダンパー、カバーおよびハブの組立て要領を説明する斜視図である。
【図４】本発明に係わる減速機構付モータの他の実施例における減速ギヤ、ダンパー、カバーおよびハブの組立て要領を説明する斜視図である。
【図５】従来における減速機構付モータを示す部分破断状態の説明図である。
【図６】従来における減速機構付モータの減速ギヤ、ダンパーおよびハブの組立て要領を説明する斜視図である。
【符号の説明】
１    減速機構付モータ
２    モータ本体
２ａ  出力軸
６    ウォーム
７    減速ギヤ
８    ダンパー
８ａ  切込み部
９    ハブ
９ａ  突片
９ｃ  開口部
１０，２０  カバー
１０ａ，２０ａ  溝部
２０ｂ  凸部
１１  外部出力軸
【図１】
0003729357.tif 000002
【図２】
0003729357.tif 000003
【図３】
0003729357.tif 000004
【図４】
0003729357.tif 000005
【図５】
0003729357.tif 000006
【図６】
0003729357.tif 000007